(57)【要約】【課題】整合回路のインピーダンスの値を変化させてアンテナのインピーダンスを無線通信回路に整合させる無線通信装置において、整合回路のインピーダンスの値の変更回数を低減する。【解決手段】無線通信装置１は、アンテナ２と、アンテナ２を介して無線信号の受信を行う無線通信回路３と、アンテナ２のインピーダンスを無線通信回路３に整合させる整合回路５と、整合回路５のインピーダンス値を制御するインピーダンス制御手段１５と、アンテナを介して受信される信号の受信強度を測定する受信強度測定手段２０と、測定された受信強度に応じてインピーダンス制御手段１５によるインピーダンス値の制御を停止する停止手段２１、２２を備える。【選択図】図１
2011009862.tif 000002
【特許請求の範囲】
【請求項１】
アンテナと、
前記アンテナを介して無線信号の受信を行う無線通信回路と、
前記アンテナのインピーダンスを前記無線通信回路に整合させる整合回路と、
前記整合回路のインピーダンス値を制御するインピーダンス制御手段と、
前記アンテナを介して受信される受信信号の受信強度を測定する受信強度測定手段と、
測定された前記受信強度に応じて前記インピーダンス制御手段による前記インピーダンス値の制御を停止する停止手段と、
を備える無線通信装置。
【請求項２】
前記停止手段は、前記受信信号に含まれる希望信号の受信強度に応じて、あるいは前記受信信号に含まれる干渉信号の強度に応じて、あるいは前記受信信号全体の受信強度に応じて、のいずれかで前記インピーダンス値の制御を停止する請求項１に記載の無線通信装置。
【請求項３】
前記停止手段は、測定された前記受信強度が、前記無線通信回路の雑音指数と熱雑音とに応じて定めた閾値を超えたとき、あるいは測定された前記受信強度が、前記無線通信回路の内部に発生する干渉電力の測定値に応じて定めた閾値を超えたとき、前記インピーダンス値の制御を停止する請求項１又は２に記載の無線通信装置。
【請求項４】
前記整合回路は、可変インピーダンスを備え、
前記インピーダンス制御手段は、前記可変インピーダンスのインピーダンス値を変化させる制御信号を前記可変インピーダンスに印加することによって、前記整合回路のインピーダンス値を制御し、
前記インピーダンス値の制御を停止するとき、前記インピーダンス制御手段は、前記可変インピーダンスへの前記制御信号の印加を停止する、請求項１〜３のいずれか一項に記載の無線通信装置。
【請求項５】
アンテナを介して無線信号の受信を行う無線通信回路に、前記アンテナのインピーダンスを整合させる、整合回路のインピーダンス制御方法であって、
前記アンテナを介して受信される受信信号の受信強度を測定し、
測定された前記受信強度に応じて前記整合回路のインピーダンス値の制御を停止する、
ことを特徴とするインピーダンス制御方法。
【発明の詳細な説明】
【技術分野】
【０００１】
本発明は、アンテナのインピーダンスを無線通信回路へ整合する整合回路の制御に関する。
【背景技術】
【０００２】
無線通信装置には、アンテナのインピーダンスを無線通信回路へ整合させる整合回路が設けられる。整合回路に可変インピーダンスデバイスを設けて、アンテナのインピーダンスの変動に応じて可変インピーダンスデバイスのインピーダンス値を変化させ、アンテナと無線通信回路との間のインピーダンスの整合を行うことが知られている。
【０００３】
なお、アンテナ整合回路が受信および送信の全周波数の無線信号の整合を行い、アンテナ整合回路制御部は容量値が可変とされアンテナのアンテナインピーダンスの整合を制御し、制御部は当該移動無線端末装置へ入力される受信電界レベルと基地局の受信電界レベルとを比較し、この比較結果に基づき容量値を移動無線端末装置か基地局の受信電界レベルの何れか弱い方の信号の周波数に最適なアンテナインピーダンスに整合するように、アンテナインピーダンスの整合を制御する技術が知られている。
【０００４】
また、フェージング状態、環境条件、非理想的なアンテナ効率のバランス、移動局によるフォワードリンク対リバースリンク使用状況、システムによるフォワードリンク対リバースリンク使用状況に基づいて、送信周波数、または、受信周波数におけるアンテナ効率を適宜高めるシステムおよび方法が知られている。
【先行技術文献】
【特許文献】
【０００５】
【特許文献１】特開２００２−１１８４８８号公報
【特許文献２】特表２００８−５３０９５７号公報
【発明の概要】
【発明が解決しようとする課題】
【０００６】
可変インピーダンスデバイスのインピーダンス値の変更動作は、可変インピーダンスデバイスの劣化を進行させることがある。または、整合回路の可変インピーダンスデバイスのインピーダンス値を制御する処理のために消費電力が増加する。
【０００７】
実施例に係る装置及び方法は、整合回路のインピーダンスの値を変化させてアンテナのインピーダンスを無線通信回路に整合させる無線通信装置において、整合回路のインピーダンスの値の変更回数を低減することを目的とする。
【課題を解決するための手段】
【０００８】
実施例の一形態による無線通信装置は、アンテナと、アンテナを介して無線信号の受信を行う無線通信回路と、アンテナのインピーダンスを無線通信回路に整合させる整合回路と、整合回路のインピーダンス値を制御するインピーダンス制御手段と、アンテナを介して受信される受信信号の受信強度を測定する受信強度測定手段と、測定された受信強度に応じてインピーダンス制御手段によるインピーダンス値の制御を停止する停止手段を備える。
【発明の効果】
【０００９】
上記実施例によれば、整合回路のインピーダンスの値の変更回数が低減される。
【図面の簡単な説明】
【００１０】
【図１】実施例に係る無線通信装置の構成図である。
【図２】インピーダンス制御部による調整処理の一例の説明図である。
【図３】受信信号に加わる干渉電力の説明図である。
【図４】実施例に係るインピーダンス制御方法の処理の説明図である。
【図５】干渉信号電力の測定方法の一例の説明図である。
【発明を実施するための形態】
【００１１】
以下、添付する図面を参照して本発明の実施例について説明する。図１は実施例としての無線通信装置の構成図である。参照符号１は無線通信装置を示し、参照符号２はアンテナを示し、参照符号３は無線周波数（ＲＦ）信号処理回路を示し、参照符号４はベースバンド（ＢＢ）信号処理回路を示し、参照符号５は整合回路を示す。以下の説明において、無線周波数信号処理回路３を「ＲＦ信号処理回路３」と記し、ベースバンド信号処理回路４を「ＢＢ信号処理回路」と記す。
【００１２】
本実施例に関する以下の説明では、無線通信装置１の実施例として、基地局との間で無線通信を行う移動通信装置について説明する。しかしながら、本実施例は、移動通信装置に限定されるものでなはい。本実施例は、整合回路のインピーダンスの値を変化させてアンテナのインピーダンスを無線通信回路に整合させる他の無線通信装置にも適用可能である。
【００１３】
参照符号１０は変調部を示し、参照符号１１は復調部を示し、参照符号１２は送受信切替部を示し、参照符号１３は信号処理部を示し、参照符号１４は可変インピーダンスデバイスを示し、参照符号１５はインピーダンス制御部を示す。
【００１４】
参照符号２０は受信強度測定部を示し、参照符号２１は比較部を示し、参照符号２２はスイッチ信号生成部を示す。
【００１５】
無線通信装置１は、アンテナ２と、ＲＦ信号処理回路３と、ＢＢ信号処理回路４と、整合回路５を備える。ＲＦ信号処理回路３は、ＢＢ信号処理回路４から入力されるベースバンド信号を無線周波数信号へ変調し、アンテナ２から受信された受信信号をベースバンド信号へ復調する。
【００１６】
ＲＦ信号処理回路３は、変調部１０と、復調部１１と、送受信切替部１２と、インピーダンス制御部１５を備える。変調部１０は、ＢＢ信号処理回路４から入力されるベースバンド信号を無線周波数信号へ変調し、変調の結果得られた無線周波数信号を送信信号としてアンテナ２へ出力する。復調部１１は、アンテナ２から受信された受信信号をベースバンド信号へ復調し、復調の結果得られたベースバンド信号をＢＢ信号処理回路４へ出力する。送受信切替部１２は、変調部１０及び復調部１１とアンテナ２との間の接続を切り替える。
【００１７】
インピーダンス制御部１５は、後述する整合回路５の可変インピーダンスデバイス１４のインピーダンス値を調整して、アンテナ２のインピーダンスをＲＦ信号処理回路３に整合させる。インピーダンス制御部１５は、可変インピーダンスデバイス１４のインピーダンス値を変化させる制御信号を可変インピーダンス１４に印加することによって、可変インピーダンスデバイス１４のインピーダンス値を変化させる。インピーダンス制御部１５による、可変インピーダンスデバイス１４のインピーダンス値の制御処理については後述する。
【００１８】
ＢＢ信号処理回路４は、ＲＦ信号処理回路３によって無線周波数信号へ変調されるベースバンド信号及び／又はＲＦ信号処理回路３によって無線周波数信号から復調されたベースバンド信号の処理を行う。ＢＢ信号処理回路４は、信号処理部１３と、受信強度測定部２０と、比較部２１と、スイッチ信号生成部２２を備える。
【００１９】
ＢＢ信号処理回路４の構成要素１３及び２０〜２２の一部又は全部は、専用のハードウエア回路によって実現されてよい。ＢＢ信号処理回路４は、プロセッサとその動作プログラムを記憶する記憶素子を備えてもよい。プロセッサが動作プログラムを実行することにより、構成要素１３及び２０〜２２の一部又は全部の処理が実行されてもよい。ＢＢ信号処理回路４は、ＦＰＧＡ（Field Programmable Gate Array）などのプログラム可能なＬＳＩ（Large Scale Integration）を備えてもよい。ＦＰＧＡがコンフィギュレーションされることによって、ＦＰＧＡが構成要素１３及び２０〜２２の一部又は全部の処理を実行してもよい。
【００２０】
信号処理部１３は、送信されるベースバンド信号をＲＦ信号処理回路３の変調部１０へ供給する。信号処理部１３は、受信された無線周波数信号を復調部１１が復調することにより得られたベースバンド信号を受信し、無線通信装置１が取り扱う信号の種類や内容に応じた信号処理を行う。
【００２１】
受信強度測定部２０は、アンテナ２を介して受信された受信信号のベースバンド信号に基づいて、受信信号の受信強度Ｐを測定する。例えば受信強度測定部２０は、復調部１１から出力される受信信号に含まれる干渉信号電力を、受信強度Ｐとして測定してよい。
【００２２】
比較部２１は、受信強度測定部２０により測定された受信強度Ｐとある基準値Ｒとを比較する。スイッチ信号生成部２２は、比較部２１による比較結果に従ってスイッチ信号を生成する。スイッチ信号生成部２２は、受信強度Ｐが基準値Ｒよりも大きい場合（Ｐ＞Ｒ）に、値”ＯＦＦ”を有するスイッチ信号を生成する。一方でスイッチ信号生成部２２は、受信強度Ｐが基準値Ｒ以下の場合（Ｐ≦Ｒ）に、値”ＯＮ”を有するスイッチ信号を生成する。スイッチ信号生成部２２は、スイッチ信号をインピーダンス制御部１５へ出力する。
【００２３】
スイッチ信号が”ＯＦＦ”を示す期間では、インピーダンス制御部１５は、可変インピーダンスデバイス１４のインピーダンス値の調整処理を停止する。インピーダンス制御部１５は、スイッチ信号が”ＯＦＦ”以外を示す期間（例えばスイッチ信号が”ＯＮ”を示す期間）において、可変インピーダンスデバイス１４のインピーダンス値の調整処理を行うことが許される。比較部２１及びスイッチ信号生成部２２は、特許請求の範囲に記載される停止手段の一例として挙げられる。
【００２４】
整合回路５は、アンテナ２のインピーダンスをＲＦ信号処理回路３に整合させる。整合回路５は、可変インピーダンスデバイス１４を備える。可変インピーダンスデバイス１４は、インピーダンス制御部１５から印加される制御信号に応じて、可変インピーダンスデバイス１４のキャパシタンス及び／又はインダクタンスを変化させる。
【００２５】
例えば、可変インピーダンスデバイス１４は、ＭＥＭＳ（Micro Electro Mechanical Systems：微小電気機械素子）スイッチ等の機械的スイッチにより、アンテナ２に接続されるコンデンサやコイルを切り替える構造を備えていてよい。また、例えば可変インピーダンスデバイス１４は、微少な可動構造の先端に形成された電極を電気信号によって機械的に変位させることにより電極間隔を変化させて、キャパシタンスを変化させるＭＥＭＳ可変容量素子であってもよい。また、例えば可変インピーダンスデバイス１４は、バラクタダイオードであってもよい。
【００２６】
次に、インピーダンス制御部１５による可変インピーダンスデバイス１４のインピーダンス値の調整処理について説明する。図２は、インピーダンス制御部１５による調整処理の一例の説明図である。なお、別な実施の態様においては、下記のオペレーションＡＡ〜オペレーションＡＨの各オペレーションはステップであってもよい。
【００２７】
オペレーションＡＡにおいてインピーダンス制御部１５は、スイッチ信号生成部２２から受信したスイッチ信号の値が”ＯＮ”及び”ＯＦＦ”のいずれであるかを判定する。スイッチ信号の値が”ＯＦＦ”であるとき（オペレーションＡＡ：ＯＦＦ）、インピーダンス制御部１５は処理をオペレーションＡＢへ移行する。スイッチ信号の値が”ＯＦＦ”である間、インピーダンス制御部１５は、可変インピーダンスデバイス１４のインピーダンス値の調整処理を停止する（オペレーションＡＢ）。
【００２８】
可変インピーダンスデバイス１４のインピーダンス値の調整処理を停止する間、インピーダンス制御部１５は、可変インピーダンスデバイス１４に印加する制御信号を停止してもよい。例えば、制御信号が電圧信号である場合には、インピーダンス制御部１５は、可変インピーダンスデバイス１４に印加する電圧を”０”にする。その後インピーダンス制御部１５は、処理を終了する。
【００２９】
オペレーションＡＡの判断においてスイッチ信号の値が”ＯＮ”であるとき（オペレーションＡＡ：ＯＮ）、インピーダンス制御部１５は処理をオペレーションＡＣへ移行する。インピーダンス制御部１５は、予め定められたｎ個の所定の整合条件Ｃｉ（ｉは１〜ｎの整数）のそれぞれについてオペレーションＡＣ〜ＡＦを繰り返す。
【００３０】
オペレーションＡＤにおいてインピーダンス制御部１５は、可変インピーダンスデバイス１４に制御信号を印加することによって、整合条件Ｃｉに応じた値となるように可変インピーダンスデバイス１４のインピーダンス値を制御する。オペレーションＡＥにおいてインピーダンス制御部１５は、各整合条件Ｃｉにおいてアンテナ２を介して受信された受信電力を測定する。
【００３１】
オペレーションＡＧにおいてインピーダンス制御部１５は、整合条件Ｃ１〜Ｃｎのうちから最大の受信電力が測定された整合条件を選択する。オペレーションＡＨにおいてインピーダンス制御部１５は、オペレーションＡＧで選択された整合条件に応じた値となるように可変インピーダンスデバイス１４のインピーダンス値を制御する。
【００３２】
上記の制御処理によって、インピーダンス制御部１５は、アンテナ２のインピーダンスの変動に応じて、アンテナ２のゲインが最大となるように、可変インピーダンスデバイス１４のインピーダンス値を調整することができる。すなわち、インピーダンス制御部１５は、アンテナ２のインピーダンスの変動に応じて、アンテナ２とＲＦ信号処理回路３との間のインピーダンスの整合を行うことができる。
【００３３】
次に、無線通信装置１の受信信号に加わる干渉電力について説明する。図３は、受信信号に加わる干渉電力の説明図である。参照符号３１は、それぞれ無線通信装置１と無線通信することが現在期待されている相手方の通信装置を示す。参照符号３２及び３３は、それぞれ無線通信装置１と無線通信することが現在期待されていない通信装置を示す。参照符号４１〜４３は、それぞれ通信装置３１〜３３との交信範囲を示す。
【００３４】
無線通信装置１が例えば移動通信装置であるとき、通信装置３１〜３３はそれぞれ基地局であってよい。また、交信範囲４１〜４３は基地局３１〜３３がカバーするセルのエリアであってよい。現在、無線通信装置１はセル４１内にあるため、基地局３１が無線通信装置１と通信することが期待されている。
【００３５】
このため、基地局３１から無線通信装置１へ到来する信号が希望信号となる。基地局３１から無線通信装置１へ到来しアンテナ２へ入力する希望信号の電力を「Ｓ」と記す。電力Ｓにアンテナ２のゲインＧを乗じた値（Ｇ×Ｓ）を「希望信号電力」と記すことがある。
【００３６】
一方で、セル４１をカバーする基地局３１以外の他の基地局３２及び３３から無線通信装置１へ到来する信号は、外部干渉信号となる。基地局３１以外の他の無線装置から無線通信装置１へ到来しアンテナ２へ入力する外部干渉信号の電力の合計を「Ｉ１」と記す。電力Ｉ１にアンテナ２のゲインＧを乗じた値（Ｇ×Ｉ１）を「外部干渉信号電力」と記すことがある。
【００３７】
また、無線通信装置１に受信された信号には、無線通信装置１の内部で発生する内部干渉信号が加わる。内部干渉信号には、例えば熱雑音や増幅器で発生する雑音などが含まれる。内部干渉信号の電力を「内部干渉信号電力Ｉ２」と記す。したがって、無線通信装置１にて受信された受信信号の電力Ｐａｌｌは、Ｐａｌｌ＝Ｇ×Ｓ＋Ｇ×Ｉ１＋Ｉ２によって与えられる。以下の説明において、外部干渉信号電力（Ｇ×Ｉ１）に内部干渉信号電力Ｉ２を加えた電力の合計を「干渉信号電力」と記すことがある。
【００３８】
一方で、無線通信装置１と基地局３１との間の伝送路の伝送品質は、ＳＩＲ（Signal-to-Interference Ratio：信号対干渉比）により評価することができる。ＳＩＲは、ＳＩＲ＝（Ｇ×Ｓ）／（Ｇ×Ｉ１＋Ｉ２）によって与えられる。
【００３９】
上述のＳＩＲの式によると、外部干渉信号電力（Ｇ×Ｉ１）が、内部干渉信号電力Ｉ２を無視できる程度に大きいとき、ＳＩＲはＳ／Ｉ１とほぼ等しくなることが分かる。すなわち、内部干渉信号電力Ｉ２よりも十分大きな基準値Ｒ（Ｒ＞＞Ｉ２）よりも外部干渉信号電力（Ｇ×Ｉ１）が大きいとき、ＳＩＲはＳ／Ｉ１とほぼ等しくなる。この結果、外部干渉信号電力（Ｇ×Ｉ１）が基準値Ｒよりも大きいときは、アンテナ２のゲインＧが伝送品質に影響を与えなくなる。このような場合には、アンテナ２のインピーダンスをＲＦ信号処理回路３に整合させるための可変インピーダンス１４の調整処理が不要になる。
【００４０】
したがって、外部干渉信号電力（Ｇ×Ｉ１）と基準値Ｒとを比較することによって、可変インピーダンス１４の調整処理が不要か否かを判定することが可能となる。また、基準値Ｒとして内部干渉信号電力Ｉ２よりも十分大きな値を選択すれば、干渉信号電力（Ｇ×Ｉ１＋Ｉ２）と基準値Ｒとを比較しても、可変インピーダンス１４の調整処理が不要か否かを判定することが可能となる。
【００４１】
例えば、無線通信装置１が移動通信装置である場合には、地下街や基地局から遠い郊外などの、電波が届きにくい環境に無線通信装置１がある場合を除くと、干渉信号電力（Ｇ×Ｉ１＋Ｉ２）＞基準値Ｒ＞＞内部干渉信号電力Ｉ２となる場合が多いため、可変インピーダンス１４の調整処理が不要であることが多い。
【００４２】
そこで図１のスイッチ信号生成部２２は、干渉信号電力（Ｇ×Ｉ１＋Ｉ２）が基準値Ｒよりも大きいとき、値”ＯＦＦ”を有するスイッチ信号を出力することにより、インピーダンス制御部１５による可変インピーダンス１４の調整処理を停止する。図４は、実施例としてのインピーダンス制御方法の処理の説明図である。なお、別な実施の態様においては、下記のオペレーションＢＡ〜オペレーションＢＤの各オペレーションはステップであってもよい。
【００４３】
オペレーションＢＡにおいて受信強度測定部２０は、ＢＢ信号処理回路４に入力された受信信号のベースバンド信号の受信強度Ｐを測定する。受信強度測定部２０は、例えば干渉信号電力（Ｇ×Ｉ１＋Ｉ２）を、受信強度Ｐとして測定してよい。
【００４４】
図５は、干渉信号電力の測定方法の一例の説明図である。受信強度測定部２０は、各時刻におけるパイロット信号のベースバンド信号の受信強度をそれぞれ測定し、複数回測定された受信強度の平均値Ｖａｖを算出する。受信強度測定部２０は、各測定値と平均値Ｖａｖとの間の二乗平均誤差を干渉信号電力として算出する。
【００４５】
図４を参照する。オペレーションＢＢにおいて比較部２１は、受信強度測定部２０により測定された受信強度Ｐと基準値Ｒとを比較する。基準値Ｒは、無線通信装置１の雑音指数ＮＦと熱雑音Ｘ（＝ｋＢＴ）とに応じて定めてよい。なお、符号ｋはボルツマン定数を示し、Ｂは無線通信装置１の受信信号の周波数帯域幅、Ｔは絶対温度を示す。
【００４６】
例えば基準値Ｒは、設計上予定されるＲＦ信号処理回路３の雑音指数ＮＦと、定格温度で使用した場合の熱雑音Ｘと、所定のマージンＭ（例えばＭ＝５［ｄＢ］）との和を用いて、次の式（１）によって予め決定してよい。
【００４７】
基準値Ｒ＝ＮＦ＋Ｘ＋Ｍ      （１）
【００４８】
また、現在の温度に応じて式（１）に従って計算した値を基準値Ｒとして使用してよい。
【００４９】
または、無線通信装置１を出荷する際に、無線通信装置１の各個体及び／又は抽出したサンプルの無線通信装置１について、無線通信装置１の内部干渉信号電力Ｉ２を測定する。そして、この測定値と所定のマージンＭ（例えばＭ＝５［ｄＢ］）との和を用いて、次の式（２）によって予め決定してよい。
【００５０】
基準値Ｒ＝Ｉ２＋Ｍ      （２）
【００５１】
無線通信装置１の内部干渉信号電力Ｉ２として、ＲＦ信号処理回路３の出力信号に含まれる内部干渉信号の電力の測定値を用いて、式（２）に従って基準値Ｒを算出してよい。
【００５２】
オペレーションＢＢでの判定において受信強度Ｐが基準値Ｒより大きいとき（オペレーションＢＢ：Ｙ）、すなわち次の判定式（３）、
【００５３】
干渉信号電力（Ｇ×Ｉ１＋Ｉ２）＞基準値Ｒ      （３）
【００５４】
を満足するとき、スイッチ信号生成部２２は、値”ＯＦＦ”を有するスイッチ信号をインピーダンス制御部１５に出力する。オペレーションＢＢでの判定において受信強度Ｐが基準値Ｒ以下のとき（オペレーションＢＢ：Ｎ）、スイッチ信号生成部２２は、値”ＯＮ”を有するスイッチ信号をインピーダンス制御部１５に出力する。その後、処理は終了する。
【００５５】
上記実施例によれば、アンテナ２のゲインＧの値がＳＩＲに影響しない期間、すなわち、アンテナとＲＦ信号処理回路３との間のインピーダンスマッチングの良否がＳＩＲに影響しない期間には、整合回路５のインピーダンスの調整処理が停止される。このため、整合回路５のインピーダンスの変更回数が低減される。この結果、可変インピーダンスデバイスの劣化の進行を遅らせることができる。
【００５６】
また、インピーダンス制御部１５による図２のオペレーションＡＣ〜ＡＨまでのインピーダンス値の調整処理が停止されることにより、これらの調整処理に要する電力消費が節約される。さらに、可変インピーダンスデバイス１４のインピーダンス値の制御を停止する間、インピーダンス制御部１５が可変インピーダンスデバイス１４に印加する制御信号を停止することによって、可変インピーダンスデバイス１４の駆動に要する電力消費を節約する。
【００５７】
なお上述の実施例では、受信強度測定部２０は干渉信号電力（Ｇ×Ｉ１＋Ｉ２）を受信強度Ｐとして測定し、スイッチ信号生成部２２は干渉信号電力（Ｇ×Ｉ１＋Ｉ２）が基準値Ｒよりも大きいとき、値”ＯＦＦ”を有するスイッチ信号を出力する。
【００５８】
信号対干渉比ＳＩＲは、ＳＩＲ＝１／（Ｉ１／Ｓ＋Ｉ２／（Ｇ×Ｓ））によって与えられる。このため、希望信号電力（Ｇ×Ｓ）が、内部干渉信号電力Ｉ２を無視できる程度に十分大きい場合も、ＳＩＲはＳ／Ｉ１とほぼ等しくなる。すなわち、希望信号電力（Ｇ×Ｓ）が、内部干渉信号電力Ｉ２を無視できる程度に十分大きい場合も、アンテナ２のゲインＧの値はＳＩＲに影響しなくなる。
【００５９】
したがって他の実施例では、希望信号電力（Ｇ×Ｓ）を受信強度Ｐとして測定するように受信強度測定部２０を構成してもよい。また、希望信号電力（Ｇ×Ｓ）が基準値Ｒよりも大きいとき値”ＯＦＦ”を有するスイッチ信号を出力するように、スイッチ信号生成部２２を構成してもよい。受信強度測定部２０は、例えば、図５を参照して説明した受信強度の平均値Ｖａｖを希望信号電力（Ｇ×Ｓ）として算出してよい。
【００６０】
このように、干渉信号電力（Ｇ×Ｉ１＋Ｉ２）がある基準値よりも大きい場合も、希望信号電力（Ｇ×Ｓ）がある基準値よりも大きい場合も、アンテナ２のゲインＧの値はＳＩＲに影響しなくなる。したがって、干渉信号電力（Ｇ×Ｉ１＋Ｉ２）と希望信号電力（Ｇ×Ｓ）の合計、すなわちＢＢ信号処理回路４に入力された受信信号全体の電力に従って、アンテナ２のゲインＧの値がＳＩＲに影響するか否かを判定することができる。すなわちＢＢ信号処理回路４に入力された受信信号全体の電力（Ｇ×Ｉ１＋Ｉ２＋Ｇ×Ｓ）が、ある基準値よりも大きいか否かを判定することによって、アンテナ２のゲインＧの値がＳＩＲに影響するか否かを判定することができる。
【００６１】
したがって他の実施例では、ＢＢ信号処理回路４に入力された受信信号全体の電力（Ｇ×Ｉ１＋Ｉ２＋Ｇ×Ｓ）を受信強度Ｐとして測定するように受信強度測定部２０を構成してもよい。また、電力（Ｇ×Ｉ１＋Ｉ２＋Ｇ×Ｓ）が基準値Ｒよりも大きいとき、値”ＯＦＦ”を有するスイッチ信号を出力するように、スイッチ信号生成部２２を構成してもよい。
【００６２】
希望信号電力（Ｇ×Ｓ）や受信信号全体の電力（Ｇ×Ｉ１＋Ｉ２＋Ｇ×Ｓ）を受信強度Ｐとして使用するそれぞれの実施例における基準値Ｒも、無線通信装置１の雑音指数ＮＦと熱雑音Ｘ（＝ｋＢＴ）とに応じて決定してよい。また、希望信号電力（Ｇ×Ｓ）や受信信号全体の電力（Ｇ×Ｉ１＋Ｉ２＋Ｇ×Ｓ）を受信強度Ｐとして使用するそれぞれの実施例における基準値Ｒも、無線通信装置１の内部干渉信号電力Ｉ２の測定値に応じて決定してよい。
【００６３】
また、上記の実施例では、受信強度測定部２０は電力値を受信強度Ｐとして測定する。また、スイッチ信号生成部２２は電力値と基準値Ｒとの比較結果に基づいて、スイッチ信号の値を決定する。これに代えて、受信強度測定部２０は、干渉信号の強度、希望信号の強度及び受信信号全体の強度を指示する様々な種類の指標の形式で、受信強度Ｐを測定してよい。スイッチ信号生成部２２は、このような様々な種類の指標の形式で指示された受信強度Ｐと基準値Ｒとの比較結果に基づいて、スイッチ信号の値を決定してもよい。様々な種類の指標の形式で受信強度Ｐを指示する場合に使用されるそれぞれの基準値Ｒも、無線通信装置１の雑音指数ＮＦ及び熱雑音Ｘ（＝ｋＢＴ）、又は無線通信装置１の内部干渉信号電力Ｉ２の測定値に応じて決定してよい。
【００６４】
以上の実施例を含む実施形態に関し、更に以下の付記を開示する。
【００６５】
（付記１）
アンテナと、
前記アンテナを介して無線信号の受信を行う無線通信回路と、
前記アンテナのインピーダンスを前記無線通信回路に整合させる整合回路と、
前記整合回路のインピーダンス値を制御するインピーダンス制御手段と、
前記アンテナを介して受信される受信信号の受信強度を測定する受信強度測定手段と、
測定された前記受信強度に応じて前記インピーダンス制御手段による前記インピーダンス値の制御を停止する停止手段と、
を備える無線通信装置。
【００６６】
（付記２）
前記停止手段は、前記受信信号に含まれる希望信号の受信強度に応じて、あるいは前記受信信号に含まれる干渉信号の強度に応じて、あるいは前記受信信号全体の受信強度に応じて、のいずれかで前記インピーダンス値の制御を停止する付記１に記載の無線通信装置。
【００６７】
（付記３）
前記停止手段は、測定された前記受信強度が、前記無線通信回路の雑音指数と熱雑音とに応じて定めた閾値を超えたとき、あるいは測定された前記受信強度が、前記無線通信回路の内部に発生する干渉電力の測定値に応じて定めた閾値を超えたとき、前記インピーダンス値の制御を停止する付記１又は２に記載の無線通信装置。
【００６８】
（付記４）
前記整合回路は、可変インピーダンスを備え、
前記インピーダンス制御手段は、前記可変インピーダンスのインピーダンス値を変化させる制御信号を前記可変インピーダンスに印加することによって、前記整合回路のインピーダンス値を制御し、
前記インピーダンス値の制御を停止するとき、前記インピーダンス制御手段は、前記可変インピーダンスへの前記制御信号の印加を停止する、付記１〜３のいずれか一項に記載の無線通信装置。
【００６９】
（付記５）
アンテナを介して無線信号の受信を行う無線通信回路に、前記アンテナのインピーダンスを整合させる、整合回路のインピーダンス制御方法であって、
前記アンテナを介して受信される受信信号の受信強度を測定し、
測定された前記受信強度に応じて前記整合回路のインピーダンス値の制御を停止する、
ことを特徴とするインピーダンス制御方法。
【符号の説明】
【００７０】
１    無線通信装置
２    アンテナ
５    整合回路
１４    可変インピーダンスデバイス
１５    インピーダンス制御部
２０    受信強度測定部
２１    比較部
２２    スイッチ信号生成部
【図１】
2011009862.tif 000003
【図２】
2011009862.tif 000004
【図３】
2011009862.tif 000005
【図４】
2011009862.tif 000006
【図５】
2011009862.tif 000007